(57)【特許請求の範囲】
【請求項１】
先進的な電気通信コンピューティングプラットフォーム（ＡＴＣＡ）バックプレーンであって、
少なくともフロントバックプレーンとリアバックプレーンを含み、前記フロントバックプレーンと前記リアバックプレーンがコネクタを介して互いに接続され、各前記フロントバックプレーンが少なくとも一つのノードボードのためのスロットを含み、各前記リアバックプレーンが少なくとも一つのノードボードのためのスロットを含むことを特徴とするＡＴＣＡバックプレーン。
【請求項２】
前記ＡＴＣＡバックプレーンのバックプレーンは、前記バックプレーンに接続されたボードのエリア３に延在し、フロントインサートボードのエリア３のスロットに接続されたプラグが設置されることを特徴とする
請求項１に記載のＡＴＣＡバックプレーン。
【請求項３】
前記ＡＴＣＡバックプレーンのバックプレーンに接続されたノードボードは、エリア３のスロットに、バックプレーン配線を介して前記フロントバックプレーン又は前記リアバックプレーンの１つ又は複数の特製スロットに接続されることを特徴とする
請求項１に記載のＡＴＣＡバックプレーン。
【請求項４】
前記フロントバックプレーンに含まれるノードボードは、タイプが前記リアバックプレーンに含まれるノードボードと同じ又は異なるボードであることを特徴とする
請求項１に記載のＡＴＣＡバックプレーン。
【請求項５】
前記フロントバックプレーンと前記リアバックプレーンは、対称又は非対称のボードを接続するためのスロットを含むことを特徴とする
請求項１に記載のＡＴＣＡバックプレーン。
【請求項６】
前記コネクタの数は、１つ又は複数であり、１つより多い場合、前記コネクタのタイプが１つ又は複数の種類であることを特徴とする
請求項１に記載のＡＴＣＡバックプレーン。
【請求項７】
前記ＡＴＣＡバックプレーンの少なくとも１つのバックプレーンは、ハブボードのためのスロットを含むことを特徴とする
請求項１乃至６のいずれか１項に記載のＡＴＣＡバックプレーン。
【請求項８】
前記ハブボードのためのスロットは、少なくとも２つであることを特徴とする
請求項７に記載のＡＴＣＡバックプレーン。
【請求項９】
前記ハブボードは、少なくとも２つ含まれ、同じ又は異なるバックプレーンに設置され、且つ前記少なくとも２つのハブボードは、互いにバックアップすることを特徴とする
請求項７に記載のＡＴＣＡバックプレーン。
【請求項１０】
前記ＡＴＣＡバックプレーンのバックプレーンに接続されたハブボードは、エリア３のスロットに、バックプレーン配線を介して前記フロントバックプレーン又は前記リアバックプレーンの１つ又は複数の特製スロットに接続されることを特徴とする
請求項７に記載のＡＴＣＡバックプレーン。
【発明の詳細な説明】
【技術分野】
【０００１】
本発明は、コンピュータ技術に関し、具体的に、先進的な電気通信コンピューティングプラットフォーム（Ａｄｖａｎｃｅｄ  Ｔｅｌｅｃｏｍ  Ｃｏｍｐｕｔｉｎｇ  Ａｒｃｈｉｔｅｃｔｕｒｅ、以下ＡＴＣＡと称する）バックプレーンに関する。
【背景技術】
【０００２】
現在、電気通信サービスの発展に伴い、電気通信事業者は、ますます電気通信プラットフォームの柔軟性、開放性、拡張性及びサービスの安定性に関心を持つ。したがって、ＡＴＣＡは、次世代電気通信ネットワークにおいて重要な役割を果たしている。
【０００３】
図１は典型的なＡＴＣＡ  １４スロットシャーシ（ＡＴＣＡ  １４−ｓｌｏｔ  ｓｈｅｌｆ）のボード分布図である。シャーシ内のボードは、フロントインサートボードとリアインサートボードに分けられ、フロントインサートボードがハブボード（ＨＵＢ  ＢＯＡＲＤ）とノードボード（ＮＯＤＥ  ＢＯＡＲＤ）に分けられ、リアインサートボードがフロントインサートボードのインタフェイス拡張ユニットとしてフロントインサートボードに挿入され、そして外部インタフェイスを提供する。
【０００４】
フロントインサートボードをリアインサートボードに接続するインタフェイスは、機能に応じてエリア１、エリア２の二つの領域に分割される。エリア１に電源、システム管理などのインタフェイスが定義され、エリア２にデータ伝送チャネルが定義される。図２は典型的なフロントインサートボードとリアインサートボードが接続している模式図である。フロントインサートボードをリアインサートボードに接続するインタフェイスは、エリア３に定義され、フロントインサートボードとリアインサートボードは、バックプレーンを介して互いに接続することなく、それぞれのコネクタを介して直接に接続する。
【０００５】
現在、フロントインサートボードは、主にサービス処理に用いられる。リアインサートボードは、サイズが制限されるので、フロントインサートボードのインタフェイス拡張ユニットとして、いくつかの簡単なキーボード、マウス、モニタなどのインタフェイスを提供することだけであり、より強いサービス処理能力を提供することが困難なので、リアインサートボードのスロットリソースが無駄になる。
【発明の概要】
【発明が解決しようとする課題】
【０００６】
これを鑑みて、本発明の主な目的は、スロットリソースを拡張するように、ＡＴＣＡバックプレーンを提供することにある。
【課題を解決するための手段】
【０００７】
上記目的を達成するために、本発明の技術的スキームは、以下のように実現される。
【０００８】
先進的な電気通信コンピューティングプラットフォーム（ＡＴＣＡ）バックプレーンは、少なくともフロントバックプレーンとリアバックプレーンを含み、フロントバックプレーンとリアバックプレーンがコネクタを介して互いに接続され、各前記フロントバックプレーンが、少なくとも一つのノードボードのためのスロットを含み、各前記リアバックプレーンが少なくとも一つのノードボードのためのスロットを含む。
【０００９】
ここで、前記ＡＴＣＡバックプレーンのバックプレーンは、それに接続されたボードのエリア３に延在しフロントインサートボードのエリア３のスロットに接続されたプラグが設置される。
【００１０】
ここで、前記ＡＴＣＡバックプレーンのバックプレーンに接続されたノードボードは、エリア３のスロットに、バックプレーン配線を介してフロントバックプレーン又はリアバックプレーンの１つ又は複数の特別に設計された特製スロットに接続される。
【００１１】
ここで、前記フロントバックプレーンに含まれるノードボードは、タイプが、前記リアバックプレーンに含まれるノードボードと同じ又は異なるボードである。
【００１２】
ここで、前記フロントバックプレーンと前記リアバックプレーンは、対称又は非対称のボードを接続するためのスロットを含む。
【００１３】
ここで、前記コネクタの数は、１つ又は複数であり、１つより多い場合、前記コネクタのタイプが１つ又は複数の種類である。
【００１４】
ここで、前記ＡＴＣＡバックプレーンの少なくとも１つのバックプレーンは、ハブボードのためのスロットを含む。
【００１５】
ここで、前記ハブボードのためのスロットは、少なくとも２つである。
【００１６】
ここで、前記ハブボードは、少なくとも２つ含まれ、同じ又は異なるバックプレーンに設置され、且つ前記少なくとも２つのハブボードは、互いにバックアップする。
【００１７】
ここで、前記ＡＴＣＡバックプレーンのバックプレーンに接続されたハブボードは、エリア３のスロットに、バックプレーン配線を介して、フロントバックプレーン又はリアバックプレーンの１つ又は複数の特製スロットに接続される。
【００１８】
本発明のＡＴＣＡバックプレーンは、フロントバックプレーンとリアバックプレーンを含み、フロントバックプレーンとリアバックプレーンがコネクタを介して互いに接続され、各前記フロントバックプレーンが少なくとも一つのノードボードのためのスロットを含み、各前記リアバックプレーンが少なくとも一つのノードボードのためのスロットを含む。そして、前記ＡＴＣＡバックプレーンの少なくとも一つのバックプレーンにハブボードのためのスロットを設置することができる。したがって、本発明のＡＴＣＡバックプレーンは、それに含まれるフロントバックプレーンとリアバックプレーンがいずれもノードボードに挿入されることを保証し、ノードボードのためのスロット数が増加されるので、スロットリソースが拡張され、システムの処理能力が向上する。
【図面の簡単な説明】
【００１９】
【図１】典型的な１４スロットシャーシのボード分布図である。
【図２】典型的なフロントインサートボードとリアインサートボードとの接続を示す模式図である。
【図３】本発明の実施例におけるノードボードとデュアルバックプレーンとの接続を示す模式図である。
【図４】本発明の他の実施例におけるノードボードとデュアルバックプレーンとの接続を示す模式図である。
【図５】本発明の他の実施例におけるハブボードとデュアルバックプレーンとの接続を示す模式図である。
【発明を実施するための形態】
【００２０】
一般的には、本発明は、ＡＴＣＡシステムで利用可能なノードボードのためのスロット数を増加し、ＡＴＣＡシステムの処理能力を向上させるように、デュアルバックプレーン構造が含まれるＡＴＣＡバックプレーンを提供する。
【００２１】
前記ＡＴＣＡバックプレーンは、少なくともフロントバックプレーンとリアバックプレーンを含み、フロントバックプレーンとリアバックプレーンがコネクタを介して互いに接続する。少なくとも１つのバックプレーンは、ハブボードのためのスロットを含み、各前記フロントバックプレーンが少なくとも一つのノードボードのためのスロットを含み、各前記リアバックプレーンが少なくとも一つのノードボードのためのスロットを含む。
【００２２】
常に、前記ＡＴＣＡバックプレーンには、前記ハブボードのためのスロットが少なくとも２つである。
【００２３】
そして、前記ＡＴＣＡバックプレーンにおいて、フロントインサートボードはリアインサートボードに直接に挿入されず、前記ＡＴＣＡバックプレーンのリアインサートボードはＰＩＣＭＧ３.０仕様に定義されるリアインサートボードではない。バックプレーンは、それに接続されたボード（フロントインサートボード又はバックプラグボード）のエリア３に延在し、フロントインサートボードのエリア３のスロットに接続されたプラグを提供する。
【００２４】
また、前記ＡＴＣＡバックプレーンにおいて、バックプレーンに接続されたハブボードは、エリア３のスロットに、バックプレーン配線を介してフロントバックプレーン又はリアバックプレーンの１つ又は複数の特製スロットに接続され、前記特製スロットによってシャーシ外部又はシャーシ内部のインタフェイスを提供し、バックプレーンに接続されたノードボードは、エリア３のスロットに、バックプレーン配線を介してフロントバックプレーン又はリアバックプレーンの１つ又は複数の特製スロットに接続され、前記特製スロットによってシャーシ外部又はシャーシ内部のインタフェイスを提供する。
【００２５】
具体的には、ＰＩＣＭＧ３.０仕様に基づき、フロントバックプレーンとリアバックプレーンが互いに接続する構造を使用することができ、フロントインサートボードとリアインサートボードがいずれもノードボードとハブボードに挿入されるように、元の各フロントインサートボードに１つのリアインサートボードを配置する必要がある形態を破棄する。
【００２６】
図３を参照すると、図３においてバックプレーン１０とバックプレーン２０がコネクタを介して接続し、バックプレーン１０に接続されたフロントインサートボードのノードボード３０がエリア１、エリア２、エリア３を含み、バックプレーン２０に接続されたリアインサートボードのノードボード４０がエリア１、エリア２、エリア３を含む。ノードボード４０は、タイプがノードボード３０と同じ又は異なるボードであってもよい。
【００２７】
前記ノードボードは、エリア２のスロットにＰＩＣＭＧ３.０仕様における定義を遵守し、バックプレーン配線を介してフロントバックプレーン又はリアバックプレーンの１つ又は複数の特製スロットに接続されるように、ノードボードは、エリア３のスロットがバックプレーンのプラグに接続され、前記特製スロットによってシャーシ外部又はシャーシ内部のインタフェイスを提供する。
【００２８】
図３において、フロントインサートボードとリアインサートボードのバックプレーンに挿入するためのスロットが対称的でない。実際には、図４に示すように設置して、フロントインサートボードとリアインサートボードのバックプレーンに挿入するためのスロットが対称的になるようにすることができる。
【００２９】
実際の応用において、本明細書に記載のＡＴＣＡバックプレーンのバックプレーン（フロントバックプレーン及び／又はリアバックプレーン）は、図５に示すように、ハブボードに接続されてもよい。図５において、ハブボード５０は、エリア２のスロットにＰＩＣＭＧ３．０仕様における定義を遵守する。バックプレーン配線を介して、フロントバックプレーン又はリアバックプレーンの１つ又は複数の特製スロットに接続されるようにエリア３のスロットにバックプレーンのプラグに接続され、前記特製スロットによってシャーシ外部又はシャーシ内部のインタフェイスを提供する。前記ハブボードは、常に少なくとも２つ含まれ、同じ又は異なるバックプレーンに設置されることができ、且つ前記少なくとも２つのハブボードが互いにバックアップする。
【００３０】
前記ＡＴＣＡバックプレーンをＡＴＣＡシャーシ中にインストールする場合、元の電源モジュール（ＰＥＭ）、シャーシ管理モジュール（ＣＭＭ）、ファンモジュール（ＦＣＭ）、シャーシデータモジュール（ＣＤＭ）などの機能モジュールのためにバックアップを設置することができる。
【００３１】
ボードのエリア３に、ユーザ定義のインタフェイスが設置されるので、システムの柔軟性が保証される。ハブボードのエリア３の信号が特製スロットにより引き出されることができ、外部インタフェイスの設置と相まって、シャーシ間のカスケード接続能力が保証される。ノードボードのエリア３中の信号が特製スロットにより引き出されることもでき、同時に外部インタフェイスが保留されることに留意すべきである。
【００３２】
ＡＴＣＡバックプレーンをインストールするためのフロントバックプレーンとリアバックプレーンがそれぞれ独立に製造された場合、フロントバックプレーン及びリアバックプレーンをバックプレーン間のコネクタとファスナーで緊密に接続することができる。論理的に、接続されたフロントバックプレーンとリアバックプレーンを、１つの独立した前後両面プラグバックプレーンとすることができる。そして、フロントバックプレーンとリアバックプレーンの間のコネクタは、信号、電気エネルギなどを伝送することができる。フロントバックプレーンとリアバックプレーンの間のコネクタのタイプは、１つ又は複数であってよく、コネクタの数が１つ又は複数であってもよい。
【００３３】
上記の説明と合わせて、本発明のＡＴＣＡバックプレーンの応用シーンは、次のようなシーンであってよい。
【００３４】
１）元のＡＴＣＡシステムでは、ノードボードのリアインサートボードが独立して、キーボード、マウス、モニタのインタフェイスを提供する。実際の応用において、各リアインサートボードにキーボード、マウス、モニタのインタフェイスを提供することは不可能であるが、その替わりに、外部に１つのキーボード、マウス、モニタの共有スイッチャを設置する。これは、シャーシの空間を占用するだけではなく、大量の接続線を使用する。本発明のＡＴＣＡバックプレーンは、ノードボードがリアインサートボードを必要としないことを保証し、すべてのノードボードのエリア３にあるキーボード、マウス、モニタの信号が直接にバックプレーン上の特製スロットに収束することができ、当該特製スロットに接続されたボードによって、キーボード、マウス、モニタの共有スイッチャの機能を提供する。このように外部装置の空間を節約し、且つ接続線を大幅に減少させ、システムの信頼性を向上させる。
【００３５】
２）元のＡＴＣＡシステムでは、１つのシャーシに最大１２つのノードボードを収容することができ、さらに処理能力を向上させる必要がある場合、シャーシを増加してカスケード接続を行わなければならない。本発明のＡＴＣＡバックプレーンは、１つのシャーシによって２４つのノードボードを提供することができることを保証し、処理能力を大幅に向上させるだけでなく、１つのシャーシ及びその付属のＰＥＭ、ＣＭＭ、ＦＣＭ、ＣＤＭなどの機能モジュールの費用を節約し、コストを節減する。
【００３６】
上記から分かるように、本発明のＡＴＣＡバックプレーンは、フロントバックプレーンとリアバックプレーンを含み、フロントバックプレーンとリアバックプレーンがコネクタを介して互いに接続され、各前記フロントバックプレーンが少なくとも一つのノードボードのためのスロットを含み、各前記リアバックプレーンが少なくとも一つのノードボードのためのスロットを含む。そして、前記ＡＴＣＡバックプレーンの少なくとも一つのバックプレーンにハブボードのためのスロットを設置することができる。したがって、本発明のＡＴＣＡバックプレーンは、それに含まれるフロントバックプレーンとリアバックプレーンがいずれもノードボードに挿入されることを保証し、ノードボードのためのスロット数が増加されるので、スロットリソースを拡張し、システムの処理能力を向上させる。
【００３７】
以上は、本発明の最適的な実施例に過ぎなく、本発明の保護範囲を制限することに用いられるものではない。
【図１】
0005998274.tif 000002
【図２】
0005998274.tif 000003
【図３】
0005998274.tif 000004
【図４】
0005998274.tif 000005
【図５】
0005998274.tif 000006